(57)【特許請求の範囲】
【請求項１】
内筒部、および該内筒部に、周方向に相対的に回転可能に外装された外筒部を有する容器本体と、
前記内筒部内に容器軸方向に進退可能に配設され、前記容器本体内に収容される内容物を保持する保持部と、を備え、
前記保持部は、前記内容物を容器軸方向の一方側に突出させた状態で保持するとともに前記内筒部と前記外筒部との周方向の相対的な回転に伴って容器軸方向に進退させられ、前記一方側に前進することで、前記内容物を前記容器本体における前記一方側の開口部から突出させ、
前記内筒部には、前記外筒部が前記一方側にずらされて外装され、
前記内筒部において前記外筒部よりも容器軸方向の他方側に位置する部分には、有底筒状の外装体が、前記内筒部に対する周方向の相対的な回転が規制された状態で外装された繰出容器であって、
前記外装体の底壁部には、前記内筒部における前記他方側の開口部に開口する孔部が容器軸方向に貫設され、
前記底壁部における前記孔部の周縁部には、前記内筒部の内周面に設けられた被係合部に係合する弾性係合部が直接、連結され、
前記弾性係合部は、容器軸方向に弾性変形させられた状態で前記被係合部に前記一方側から係合し、弾性復元力により前記内筒部を前記他方側に付勢して前記底壁部に圧接させていることを特徴とする繰出容器。
【請求項２】
請求項１記載の繰出容器であって、
前記弾性係合部は、前記孔部の周縁部において周方向に離間した部分に各別に連結された一対の連結部と、これらの両連結部を接続し前記被係合部に当接する本体部と、を備えていることを特徴とする繰出容器。
【請求項３】
請求項２記載の繰出容器であって、
前記弾性係合部は、容器軸を間に挟んで一対配置されていることを特徴とする繰出容器。
【請求項４】
請求項１から３のいずれか１項に記載の繰出容器であって、
前記孔部は、前記外装体の底壁部に固着された被覆部材により前記他方側から覆われていることを特徴とする繰出容器。
【請求項５】
請求項１から４のいずれか１項に記載の繰出容器であって、
前記外筒部を前記内筒部に対して前記一方側に付勢し、前記外筒部に設けられた突き当て部を、前記内筒部に設けられた受け部に圧接させる付勢部材を備えていることを特徴とする繰出容器。
【請求項６】
請求項５記載の繰出容器であって、
前記付勢部材は、容器軸方向に交互に湾曲しつつ周方向に延在する環状に形成されていることを特徴とする繰出容器。
【請求項７】
請求項５または６に記載の繰出容器であって、
前記内筒部において前記外筒部よりも前記他方側に位置する部分には、径方向の外側に張り出す張り出し部が形成され、
前記付勢部材は、前記張り出し部と前記外筒部との間に配設されていることを特徴とする繰出容器。
【請求項８】
請求項５から７のいずれか１項に記載の繰出容器であって、
前記付勢部材には、前記外筒部に、前記外筒部に対する径方向の内側から圧接する圧接部材が、周方向に複数設けられ、または周方向の全周にわたって設けられていることを特徴とする繰出容器。
【発明の詳細な説明】
【技術分野】
【０００１】
本発明は、繰出容器に関する。
【背景技術】
【０００２】
従来から、例えば下記特許文献１に示されるような繰出容器が知られている。繰出容器は、内筒部、および該内筒部に、周方向に相対的に回転可能に外装された外筒部を有する容器本体と、内筒部内に容器軸方向に進退可能に配設され、容器本体内に収容される内容物を保持する保持部と、を備えている。保持部は、内容物を容器軸方向の一方側に突出させた状態で保持するとともに内筒部と外筒部との周方向の相対的な回転に伴って容器軸方向に進退させられ、前記一方側に前進することで、内容物を容器本体における前記一方側の開口部から突出させる。
ところで、この種の繰出容器として、内筒部に、前記外筒部が前記一方側にずらされて外装され、かつ内筒部において外筒部よりも容器軸方向の他方側に位置する部分に、有底筒状の外装体が、内筒部に対する周方向の相対的な回転が規制された状態で外装された構成も知られている。
【先行技術文献】
【特許文献】
【０００３】
【特許文献１】登録実用新案第２５２８７０３号公報
【発明の概要】
【発明が解決しようとする課題】
【０００４】
しかしながら、前記従来の繰出容器では、例えば操作時などに、容器本体の内筒部と外装体とが容器軸方向にがたつくのを抑えることについて、改善の余地があった。
【０００５】
本発明は、前述した事情に鑑みてなされたものであって、その目的は、容器本体の内筒部と外装体とが容器軸方向にがたつくのを抑えることができる繰出容器を提供することである。
【課題を解決するための手段】
【０００６】
前記課題を解決するために、本発明は以下の手段を提案している。
本発明に係る繰出容器は、内筒部、および該内筒部に、周方向に相対的に回転可能に外装された外筒部を有する容器本体と、前記内筒部内に容器軸方向に進退可能に配設され、前記容器本体内に収容される内容物を保持する保持部と、を備え、前記保持部は、前記内容物を容器軸方向の一方側に突出させた状態で保持するとともに前記内筒部と前記外筒部との周方向の相対的な回転に伴って容器軸方向に進退させられ、前記一方側に前進することで、前記内容物を前記容器本体における前記一方側の開口部から突出させ、前記内筒部には、前記外筒部が前記一方側にずらされて外装され、前記内筒部において前記外筒部よりも容器軸方向の他方側に位置する部分には、有底筒状の外装体が、前記内筒部に対する周方向の相対的な回転が規制された状態で外装された繰出容器であって、前記外装体の底壁部には、前記内筒部における前記他方側の開口部に開口する孔部が容器軸方向に貫設され、前記底壁部における前記孔部の周縁部には、前記内筒部の内周面に設けられた被係合部に係合する弾性係合部が直接、連結され、前記弾性係合部は、容器軸方向に弾性変形させられた状態で前記被係合部に前記一方側から係合し、弾性復元力により前記内筒部を前記他方側に付勢して前記底壁部に圧接させていることを特徴とする。
【０００７】
この発明によれば、弾性係合部が、容器軸方向に弾性変形させられた状態で内筒部の被係合部に前記一方側から係合し、弾性復元力により内筒部を前記他方側に付勢して外装体に圧接させているので、外装体に対する容器本体の内筒部の容器軸方向の移動を、弾性係合部および外装体により容器軸方向の両側から規制することが可能になり、容器本体の内筒部と外装体とが容器軸方向にがたつくのを効果的に抑えることができる。
またこのように、弾性係合部の弾性復元力により内筒部を前記他方側に付勢することでがたつきを抑えるので、仮に内筒部や外装体などの寸法が製造公差内でばらついたとしても、がたつきを確実に抑えることができる。
【０００８】
また、前記弾性係合部は、前記孔部の周縁部において周方向に離間した部分に各別に連結された一対の連結部と、これらの両連結部を接続し前記被係合部に当接する本体部と、を備えていてもよい。
【０００９】
この場合、弾性係合部が、前記一対の連結部と前記本体部とを備えているので、本体部が内筒部の被係合部から受ける力を一対の連結部に分散させて受け止めることが可能になり、弾性係合部の弾性復元力により確実に内筒部を前記他方側に付勢して、容器本体の内筒部と外装体とが容器軸方向にがたつくのをより効果的に抑えることができる。
【００１０】
また、前記弾性係合部は、容器軸を間に挟んで一対配置されていてもよい。
【００１１】
この場合、弾性係合部が、容器軸を間に挟んで一対配置されているので、内筒部において容器軸を間に挟んで位置する部分に、弾性係合部の弾性復元力を各別に作用させることが可能になり、容器本体の内筒部と外装体とが容器軸方向にがたつくのをより一層効果的に抑えることができる。
また弾性係合部が、容器軸を間に挟んで一対配置されているので、弾性係合部を被係合部に係合させるときに、両弾性係合部を互いに接近する方向に弾性変形させながら、弾性係合部の本体部を被係合部に対して前記他方側から前記一方側に移動させた後、両弾性係合部を互いに離間する方向に復元変形させることで、弾性係合部の本体部に被係合部を容器軸方向に乗り越えさせることが可能になり、当該繰出容器の組立作業の簡便化を図ることができる。
【００１２】
また、前記孔部は、前記外装体の底壁部に固着された被覆部材により前記他方側から覆われていてもよい。
【００１３】
この場合、孔部が、前記被覆部材により前記他方側から覆われているので、内筒部内に孔部を通して例えば埃などの異物が入り込むのを抑えることができる。
【００１４】
また、前記外筒部を前記内筒部に対して前記一方側に付勢し、前記外筒部に設けられた突き当て部を、前記内筒部に設けられた受け部に圧接させる付勢部材を備えていてもよい。
【００１５】
この場合、前記付勢部材が備えられているので、内筒部に対する外筒部の容器軸方向の移動を、付勢部材および受け部により容器軸方向の両側から規制することが可能になり、内筒部と外筒部とが容器軸方向にがたつくのを効果的に抑えることができる。
またこのように、付勢部材により外筒部を内筒部に対して付勢することでがたつきを抑えるので、仮に内筒部や外筒部などの寸法が製造公差内でばらついたとしても、がたつきを確実に抑えることができる。
【００１６】
また、前記付勢部材は、容器軸方向に交互に湾曲しつつ周方向に延在する環状に形成されていてもよい。
【００１７】
この場合、付勢部材が、容器軸方向に交互に湾曲しつつ周方向に延在する環状に形成されているので、当該繰出容器の構造の簡素化を図ることができる。
【００１８】
また、前記内筒部において前記外筒部よりも前記他方側に位置する部分には、径方向の外側に張り出す張り出し部が形成され、前記付勢部材は、前記張り出し部と前記外筒部との間に配設されていてもよい。
【００１９】
この場合、付勢部材が、内筒部の張り出し部と外筒部との間に配設されているので、例えば付勢部材が、内筒部とは異なる部材と、外筒部と、の間に配設されている場合に比べて、付勢部材により外筒部を内筒部に対して前記一方側に確実に付勢して、外筒部の突き当て部を内筒部の受け部に強く圧接することが可能になり、内筒部と外筒部とが容器軸方向にがたつくのを一層効果的に抑えることができる。
【００２０】
なお付勢部材が、容器軸方向に交互に湾曲しつつ周方向に延在する環状に形成されている場合には、付勢部材のうち、前記一方側に向けて凸をなす部分を外筒部に当接させ、かつ前記他方側に向けて凸をなす部分を内筒部の張り出し部に当接させることが可能になり、付勢部材を、内筒部および外筒部のいずれにも、周方向に間隔をあけて間欠的に当接させることができる。これにより、例えば付勢部材が、内筒部および外筒部のいずれにも、周方向の全周にわたって連続的に当接している場合に比べて、付勢部材と内筒部との間、および付勢部材と外筒部との間それぞれに生じる摩擦力を低減させることが可能になり、内筒部と外筒部とを周方向に円滑に相対的に回転させ操作性を確保することができる。
【００２１】
また、前記付勢部材には、前記外筒部に、前記外筒部に対する径方向の内側から圧接する圧接部材が、周方向に複数設けられ、または周方向の全周にわたって設けられていてもよい。
【００２２】
この場合、付勢部材に前記圧接部材が設けられているので、外筒部と内筒部とが径方向にがたつくのを抑えつつ、内筒部と外筒部とが意図せずに周方向に相対的に回転するのを抑制することが可能であるとともに、内筒部と外筒部とが容器軸方向にがたつくのをより効果的に抑えることができる。
なお圧接部材が、付勢部材と一体に形成されている場合には、部品点数の増加も抑えることが可能になり、構造の複雑化を抑制することもできる。
【発明の効果】
【００２３】
本発明に係る繰出容器によれば、容器本体の内筒部と外装体とが容器軸方向にがたつくのを抑えることができる。
【図面の簡単な説明】
【００２４】
【図１】本発明の一実施形態に係る繰出容器の部分的な縦断面図である。
【図２】図１に示す繰出容器における要部の縦断面図である。
【図３】図１に示す繰出容器を構成する付勢部材の部分的な側面図である。
【図４】図１に示す繰出容器を構成する外装体の底面図である。
【図５】図１に示すＡ−Ａ断面矢視図である。
【図６】本発明の一変形例に係る繰出容器における要部の縦断面図である。
【発明を実施するための形態】
【００２５】
以下、図面を参照し、本発明の一実施形態に係る繰出容器を説明する。
図１に示すように、繰出容器１０は、内筒部１１、および該内筒部１１に、周方向に相対的に回転可能に外装された外筒部１２を有する容器本体１３と、内筒部１１内に容器軸Ｏ方向に進退可能に配設され、容器本体１３内に収容される内容物Ａを保持する保持部１４と、を備えている。保持部１４は、内容物Ａを容器軸Ｏ方向の前側（一方側）に突出させた状態で保持するとともに内筒部１１と外筒部１２との周方向の相対的な回転に伴って容器軸Ｏ方向に進退させられ、前側に前進することで、内容物Ａを容器本体１３における前側の開口部から突出させる。
【００２６】
ここで、内筒部１１および外筒部１２の中心軸線は共通軸上に位置している。以下、この共通軸を容器軸Ｏといい、この容器軸Ｏに沿って、保持部１４に対して内容物Ａが突出する方向を前側といい、その反対側（他方側）を後側という。また、容器軸Ｏに直交する方向を径方向といい、容器軸Ｏ回りに周回する方向を周方向という。
なお前記内容物Ａとしては、例えば化粧料（口紅、リップクリームもしくはスティックアイシャドーなど）、薬剤または糊などが棒状に形成されてなる棒状体があげられる。
【００２７】
内筒部１１は、後側の基部分（内筒部において外筒部よりも容器軸方向の他方側に位置する部分）１５と前側の被着部分１６とが容器軸Ｏ方向に連結されてなる。
基部分１５は、後側の小径部１５ａと前側の大径部（張り出し部）１５ｂとが容器軸Ｏ方向に連結された２段筒状に形成されている。小径部１５ａの外周面には、容器軸Ｏ方向に延在する内縦リブ１５ｃが、周方向に間隔をあけて複数配置されている。内縦リブ１５ｃの前端縁は、大径部１５ｂの後端面に連結されている。
基部分１５の内周面には、径方向の内側に向けて突出する被係合部１７が設けられている。被係合部１７は、基部分１５の前記小径部１５ａに配設され、周方向に延在する環状に形成されている。被係合部１７の内径は、当該被係合部１７の後側から前側に向かうに従い漸次、小さくなっている。
【００２８】
被着部分１６は、基部分１５の前端面における内周縁から前方に向けて突設され、基部分１５よりも容器軸Ｏ方向に長くなっている。被着部分１６の内周面と、基部分１５における前記大径部１５ｂの内周面と、は面一になっている。被着部分１６の外周面は、大径部１５ｂの外周面よりも径方向の内側に位置しており、基部分１５の大径部１５ｂは、被着部分１６よりも径方向の外側に向けて張り出している。
被着部分１６の前端部には、径方向の外側に向けて突出する受け部１８が設けられている。受け部１８は、周方向に延在する環状に形成されている。受け部１８の外径は、当該受け部１８の前側から後側に向かうに従い漸次、大きくなっており、受け部１８の外周面は、前記縦断面視において容器軸Ｏに対して傾斜している。
【００２９】
外筒部１２は、内筒部１１に対して前側にずらされて外装され、図示の例では、内筒部１１における前記被着部分１６に外装されている。外筒部１２は、径方向の内側に位置する本体筒１９と、径方向の外側に位置する化粧筒２０と、を備えている。外筒部１２は、これらの本体筒１９および化粧筒２０が互いに別体に形成されるとともに、化粧筒２０内に本体筒１９が嵌合されてなる。
【００３０】
本体筒１９は、化粧筒２０よりも容器軸Ｏ方向に短くなっており、化粧筒２０の容器軸Ｏ方向の内側に位置している。図２に示すように、本体筒１９の後端縁は、化粧筒２０の後端縁よりも前側に位置しており、本体筒１９の後端縁および化粧筒２０の後端部の内周面により、後方および径方向の内側に向けて開口する環状凹部２１が画成されている。
図１に示すように、化粧筒２０の前端部は、その全周にわたって径方向の内側に向けて湾曲されており、内筒部１１の前記被着部分１６の前端部を前方から覆っている。
【００３１】
図２に示すように、本体筒１９と化粧筒２０との間には、これらの本体筒１９と化粧筒２０との容器軸Ｏ方向の相対的な移動を規制する規制手段２２が設けられている。規制手段２２は、本体筒１９の外周面に設けられた周溝２２ａと、化粧筒２０の内周面に設けられ周溝２２ａ内に嵌合された突条２２ｂと、を備えている。図示の例では、突条２２ｂは、化粧筒２０が径方向の内側に向けて屈曲されてなる。
なお、外筒部１２の本体筒１９および化粧筒２０は、異なる材料で形成されていてもよく、例えば本体筒１９が合成樹脂材料で形成され、かつ化粧筒２０が金属材料で形成される等してもよい。
【００３２】
図１に示すように、保持部１４は、内筒部１１内に、容器軸Ｏ方向に摺動可能に嵌合されている。保持部１４は、容器軸Ｏ方向の両側に向けて開口する筒状に形成されている。保持部１４内には、内容物Ａが容器軸Ｏと同軸に配置された状態で嵌合されている。
保持部１４には、内筒部１１に形成された径方向に貫通する内孔２３、および外筒部１２に形成された径方向の内側に向けて開口する外孔２４に一体に挿通された装着突起２５が設けられている。装着突起２５は、容器軸Ｏを間に挟むように一対配設され、互いに同形同大となっている。
【００３３】
内孔２３および外孔２４のうちのいずれか一方は、周方向に螺旋をなすように延在し、他方は容器軸Ｏ方向に延在している。本実施形態では、内孔２３が容器軸Ｏ方向に延在し、外孔２４が周方向に螺旋をなすように延在している。内孔２３は、内筒部１１の前記被着部分１６に、容器軸Ｏを間に挟むように一対配設され、互いに同形同大となっている。外孔２４は、外筒部１２の本体筒１９に、容器軸Ｏを間に挟むように一対配設され、互いに同形同大となっている。外孔２４は、本体筒１９の内周面に溝状に形成され、径方向の外側に向けて非開口となっている。
【００３４】
ここで本実施形態では、当該繰出容器１０には、外筒部１２を内筒部１１に対して前側に付勢し、外筒部１２に設けられた突き当て部２６を、内筒部１１の前記受け部１８に圧接させる付勢部材２７と、内筒部１１の前記基部分１５に、内筒部１１に対する周方向の相対的な回転が規制された状態で外装された有底筒状の外装体２８と、外装体２８に着脱可能に装着され、容器本体１３における前側の開口部を覆う有頂筒状のオーバーキャップ３３と、が更に備えられている。
【００３５】
付勢部材２７は、内筒部１１の前記大径部１５ｂと外筒部１２との間に、図示の例では、大径部１５ｂの前端面と外筒部１２の後端縁との間に配設されている。図３に示すように、付勢部材２７は、容器軸Ｏ方向に交互に湾曲しつつ周方向に延在する環状に形成されている。図２に示すように、付勢部材２７は、内筒部１１の前記被着部分１６に、容器軸Ｏ方向に弾性変形させられた状態で外装されている。付勢部材２７のうち、前側に向けて凸をなす第１凸部分２７ａは外筒部１２に当接し、かつ後側に向けて凸をなす第２凸部分２７ｂは内筒部１１の大径部１５ｂに当接している。
【００３６】
付勢部材２７には、外筒部１２に径方向の内側から圧接する圧接部材２９が、周方向に複数設けられている。圧接部材２９は、付勢部材２７と一体に形成されている。図３に示すように、圧接部材２９は、付勢部材２７に、周方向に間隔をあけて複数設けられ、付勢部材２７の前記第１凸部分２７ａから前方に向けて突設されている。図２に示すように、圧接部材２９は、前記環状凹部２１内に配置されており、外筒部１２における前記化粧筒２０の内周面に圧接されている。なお図示の例では、圧接部材２９の前端部には、化粧筒２０の内周面に圧接する圧接突起２９aが、径方向の外側に向けて突設されている。
図１に示すように、突き当て部２６は、外筒部１２の前記本体筒１９における前端部により構成されている。突き当て部２６は、内筒部１１の前記受け部１８における後端縁に、後方から圧接している。
【００３７】
外装体２８は、内筒部１１の前記基部分１５および外筒部１２に一体に外装され、付勢部材２７を径方向の外側から全周にわたって覆っている。外装体２８の内周面には、容器軸Ｏ方向に延在する外縦リブ２８ａが、周方向に間隔をあけて複数配置されている。外縦リブ２８ａは、内筒部１１における複数の前記内縦リブ１５ｃのうち、周方向に隣り合うもの同士の間に位置している。これらの外縦リブ２８ａと内縦リブ１５ｃとは、互いに噛み合っており、内筒部１１に対する外装体２８の周方向の相対的な回転を規制している。なお外縦リブ２８ａの後端縁は、外装体２８の底壁部に連結されている。
【００３８】
外装体２８の底壁部には、内筒部１１における後側の開口部に開口する孔部３０が容器軸Ｏ方向に貫設されている。孔部３０は、容器軸Ｏと同軸に配置され、当該繰出容器１０を後側から見た底面視において円形状をなしている。孔部３０は、内筒部１１における後側の開口部よりも大径であり、内筒部１１の前記小径部１５ａの外径よりも小径である。
外装体２８の底壁部における孔部３０の周縁部には、内筒部１１の前記被係合部１７に係合する弾性係合部３１が連結されている。図１、図４および図５に示すように、弾性係合部３１は、外装体２８と一体に形成されている。弾性係合部３１は、前記孔部３０の周縁部において周方向に離間した部分に各別に連結された一対の連結部３１ａと、これらの両連結部３１ａを接続し被係合部１７に当接する本体部３１ｂと、を備えている。図４に示すように、弾性係合部３１は、容器軸Ｏを間に挟んで一対配置されている。
【００３９】
一対の弾性係合部３１は、互いに同形同大となっており、前記底面視において容器軸Ｏを間に挟んで対称に配置されている。一対の連結部３１ａは、孔部３０の内周面において周方向に離間した各部分から、前記底面視において互いに接近する方向に直線状に突設されている。本体部３１ｂは、一対の連結部３１ａの各突端部の間に架設され、前記底面視において周方向に沿って円弧状に延在している。本体部３１ｂのうち、周方向の中央部分は、この中央部分よりも周方向の外側に位置する外側部分よりも、径方向に沿った大きさが大きくなっている。
図１および図５に示すように、連結部３１ａは、全長にわたって容器軸Ｏ方向の位置が同等となっている。本体部３１ｂの前記外側部分は、周方向の外側から内側に向かうに従い漸次、前側に向けて延在している。本体部３１ｂの前記中央部分は、全長にわたって容器軸Ｏ方向の位置が同等となっている。
【００４０】
そして本実施形態では、弾性係合部３１は、容器軸Ｏ方向に弾性変形させられた状態で内筒部１１の前記被係合部１７に前側から係合し、弾性復元力により内筒部１１を後側に付勢して外装体２８に圧接させている。弾性係合部３１は、本体部３１ｂが弾性変形しながら本体部３１ｂのうちの中央部分が被係合部１７に前側から当接することで、内筒部１１を後側に付勢しており、内筒部１１の後端面を、外装体２８の底壁部に前側から圧接させている。
【００４１】
なお図１に示すように、弾性係合部３１の本体部３１ｂにおける前記中央部分には、前側および径方向の外側を向く面取り部３１ｃが形成されている。この面取り部３１ｃ、および内筒部１１の前記被係合部１７における内周面は、弾性係合部３１を被係合部１７に係合させるため、弾性係合部３１の本体部３１ｂを被係合部１７の後側から前側に移動させるときに、互いに摺動し合うことで、被係合部１７に対する本体部３１ｂの容器軸Ｏ方向の乗り越えを案内するように構成されていてもよい。
【００４２】
また前記孔部３０は、外装体２８の底壁部に固着された被覆部材３２により後側から覆われている。外装体２８の底壁部の外周縁には、後方に向けて張り出す環状の脚部２８ｂが配設されており、被覆部材３２は、底壁部における脚部２８ｂの内側に固着されている。被覆部材３２は、容器軸Ｏ方向に沿った大きさが脚部２８ｂよりも小さいシート状に形成され、孔部３０を後方から閉塞している。
【００４３】
前記繰出容器１０の使用に際しては、外装体２８からオーバーキャップ３３を離脱させた後、外装体２８と容器本体１３の外筒部１２とを各別に把持し、これらの外装体２８と外筒部１２とを周方向に相対的に回転させて、内筒部１１と外筒部１２とを周方向に相対的に回転させる。このとき外筒部１２を、内筒部１１に対して周方向の一方側に相対的に回転させ、装着突起２５を、内孔２３および外孔２４の双方に沿って前側に移動させることで保持部１４を前進させ、内容物Ａを容器本体１３の前側の開口部から前方に向けて突出させる。
内容物Ａを使用した後には、外装体２８と外筒部１２とを周方向に相対的に反対側に回転させ、装着突起２５を、内孔２３および外孔２４の双方に沿って後側に移動させる。すると、保持部１４が後退させられ、内容物Ａが容器本体１３の前側の開口部から後方に向けて没入する。このように保持部１４は、内筒部１１内を容器軸Ｏ方向に進退することで、内容物Ａを、容器本体１３の前側の開口部に対して出没させる。
【００４４】
以上説明したように、本実施形態に係る繰出容器１０によれば、弾性係合部３１が、容器軸Ｏ方向に弾性変形させられた状態で内筒部１１の被係合部１７に前側から係合し、弾性復元力により内筒部１１を後側に付勢して外装体２８に圧接させているので、外装体２８に対する容器本体１３の内筒部１１の容器軸Ｏ方向の移動を、弾性係合部３１および外装体２８により容器軸Ｏ方向の両側から規制することが可能になり、容器本体１３の内筒部１１と外装体２８とが容器軸Ｏ方向にがたつくのを効果的に抑えることができる。
またこのように、弾性係合部３１の弾性復元力により内筒部１１を後側に付勢することでがたつきを抑えるので、仮に内筒部１１や外装体２８などの寸法が製造公差内でばらついたとしても、がたつきを確実に抑えることができる。
【００４５】
また弾性係合部３１が、前記一対の連結部３１ａと前記本体部３１ｂとを備えているので、本体部３１ｂが内筒部１１の被係合部１７から受ける力を一対の連結部３１ａに分散させて受け止めることが可能になり、弾性係合部３１の弾性復元力により確実に内筒部１１を後側に付勢して、容器本体１３の内筒部１１と外装体２８とが容器軸Ｏ方向にがたつくのをより効果的に抑えることができる。
【００４６】
さらに弾性係合部３１が、容器軸Ｏを間に挟んで一対配置されているので、内筒部１１において容器軸Ｏを間に挟んで位置する部分に、弾性係合部３１の弾性復元力を各別に作用させることが可能になり、容器本体１３の内筒部１１と外装体２８とが容器軸Ｏ方向にがたつくのをより一層効果的に抑えることができる。
また弾性係合部３１が、容器軸Ｏを間に挟んで一対配置されているので、弾性係合部３１を被係合部１７に係合させるときに、両弾性係合部３１を互いに接近する方向に弾性変形させながら、弾性係合部３１の本体部３１ｂを被係合部１７に対して後側から前側に移動させた後、両弾性係合部３１を互いに離間する方向に復元変形させることで、弾性係合部３１の本体部３１ｂに被係合部１７を容器軸Ｏ方向に乗り越えさせることが可能になり、当該繰出容器１０の組立作業の簡便化を図ることができる。
【００４７】
また孔部３０が、前記被覆部材３２により後側から覆われているので、内筒部１１内に孔部３０を通して例えば埃などの異物が入り込むのを抑えることができる。
【００４８】
さらに、前記付勢部材２７が備えられているので、内筒部１１に対する外筒部１２の容器軸Ｏ方向の移動を、付勢部材２７および受け部１８により容器軸Ｏ方向の両側から規制することが可能になり、内筒部１１と外筒部１２とが容器軸Ｏ方向にがたつくのを効果的に抑えることができる。
またこのように、付勢部材２７により外筒部１２を内筒部１１に対して付勢することでがたつきを抑えるので、仮に内筒部１１や外筒部１２などの寸法が製造公差内でばらついたとしても、がたつきを確実に抑えることができる。
【００４９】
また付勢部材２７が、容器軸Ｏ方向に交互に湾曲しつつ周方向に延在する環状に形成されているので、当該繰出容器１０の構造の簡素化を図ることができる。
さらに付勢部材２７が、内筒部１１の張り出し部と外筒部１２との間に配設されているので、例えば付勢部材２７が、内筒部１１とは異なる部材と、外筒部１２と、の間に配設されている場合に比べて、付勢部材２７により外筒部１２を内筒部１１に対して前側に確実に付勢して、外筒部１２の突き当て部２６を内筒部１１の受け部１８に強く圧接することが可能になり、内筒部１１と外筒部１２とが容器軸Ｏ方向にがたつくのを一層効果的に抑えることができる。
【００５０】
なお本実施形態のように、付勢部材２７が、容器軸Ｏ方向に交互に湾曲しつつ周方向に延在する環状に形成されている場合には、付勢部材２７のうちの前記第１凸部分２７ａを外筒部１２に当接させ、かつ前記第２凸部分２７ｂを内筒部１１の前記大径部１５ｂに当接させることが可能になり、付勢部材２７を、内筒部１１および外筒部１２のいずれにも、周方向に間隔をあけて間欠的に当接させることができる。これにより、例えば付勢部材が、内筒部および外筒部のいずれにも、周方向の全周にわたって連続的に当接している場合に比べて、付勢部材２７と内筒部１１との間、および付勢部材２７と外筒部１２との間それぞれに生じる摩擦力を低減させることが可能になり、内筒部１１と外筒部１２とを周方向に円滑に相対的に回転させ操作性を確保することができる。
【００５１】
また、付勢部材２７に前記圧接部材２９が設けられているので、外筒部１２と内筒部１１とが径方向にがたつくのを抑えつつ、内筒部１１と外筒部１２とが意図せずに周方向に相対的に回転するのを抑制することが可能であるとともに、内筒部１１と外筒部１２とが容器軸Ｏ方向にがたつくのをより効果的に抑えることができる。
なお本実施形態のように、圧接部材２９が、付勢部材２７と一体に形成されている場合には、部品点数の増加も抑えることが可能になり、構造の複雑化を抑制することもできる。
【００５２】
なお、本発明の技術的範囲は前記実施形態に限定されるものではなく、本発明の趣旨を逸脱しない範囲において種々の変更を加えることが可能である。
例えば、オーバーキャップ３３および被覆部材３２はなくてもよい。
また前記実施形態では、付勢部材２７のうちの前記第１凸部分２７ａが外筒部１２に当接するものとしたが、これに限られない。例えば、圧接部材の前端縁が、外筒部の本体筒の後端縁に当接し、付勢部材が、圧接部材を介して外筒部を前側に付勢可能である場合などには、付勢部材が、外筒部に当接していなくてもよい。
【００５３】
また前記実施形態では、圧接部材２９が、周方向に複数設けられているものとしたが、これに限られず、周方向の全周にわたって設けられていてもよい。
さらに前記実施形態では、圧接部材２９が、外筒部１２に径方向の内側から圧接するものとしたが、これに限られず、径方向の外側から圧接してもよい。
さらにまた図６に示す繰出容器４０のように、圧接部材２９はなくてもよい。
【００５４】
また前記実施形態では、付勢部材２７が、内筒部１１の大径部１５ｂと外筒部１２との間に配設されているものとしたが、これに限られず、例えば外装体と外筒部との間に配設されていてもよい。
さらに前記実施形態では、付勢部材２７が、容器軸Ｏ方向に交互に湾曲しつつ周方向に延在する環状に形成されているものとしたが、これに限られず、例えばコイルスプリング等を採用してもよい。
【００５５】
また前記実施形態では、受け部１８は、内筒部１１の被着部分１６の前端部に設けられているものとしたが、これに限られず、例えば、被着部分において前端部とは異なる部分に設けてもよい。
さらに前記実施形態では、突き当て部２６が、外筒部１２の本体筒１９における前端部により構成されているものとしたが、これに限られず、例えば外筒部の化粧筒における前端部により構成してもよい。
さらにまた、付勢部材２７、突き当て部２６および受け部１８はなくてもよい。
【００５６】
また前記実施形態では、弾性係合部３１が、容器軸Ｏを間に挟んで一対配置されているものとしたが、これに限られず、例えば弾性係合部が、１つだけであってもよく、周方向に間隔をあけて３つ以上配置されていてもよい。
さらに前記実施形態では、弾性係合部３１が、一対の連結部３１ａおよび本体部３１ｂを備え、本体部３１ｂが連結部３１ａにより両持ちされた構造であるものとしたが、これに限られない。例えば、弾性係合部が、被係合部に当接する本体部と、本体部と孔部の内周面とを連結する１つの連結部と、を備え、本体部が連結部により片持ちされた構造であってもよい。
【００５７】
また前記実施形態では、外筒部１２は、本体筒１９と化粧筒２０とが別体に形成されたものとしたが、これに限られず、例えば外筒部が１つの筒状体により構成されるものであってもよい。
さらに前記実施形態では、内孔２３が、容器軸Ｏ方向に延在し、外孔２４が、周方向に螺旋をなすように延在するものとしたが、これに限られず、例えば内孔が、周方向に螺旋をなすように延在するものとし、外孔が、容器軸方向に延在していてもよい。
【００５８】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５９】
１０、４０  繰出容器
１１  内筒部
１２  外筒部
１３  容器本体
１４  保持部
１５  基部分（内筒部において外筒部よりも容器軸方向の他方側に位置する部分）
１５ｂ  大径部（張り出し部）
１７  被係合部
１８  受け部
２６  突き当て部
２７  付勢部材
２８  外装体
２９  圧接部材
３０  孔部
３１  弾性係合部
３１ａ  連結部
３１ｂ  本体部
３２  被覆部材
Ａ  内容物
Ｏ  容器軸
【図１】
0005871694.tif 000002
【図２】
0005871694.tif 000003
【図３】
0005871694.tif 000004
【図４】
0005871694.tif 000005
【図５】
0005871694.tif 000006
【図６】
0005871694.tif 000007